(57)【要約】      （修正有）【課題】サブフレーム周波数を抑えつつ、従来の画素分割駆動法に比べて表示装置の光利用効率と表示色の彩度を高める。【解決手段】二次元配列された複数のピクセル形成部を有するパネルと、前記ピクセル形成部を照射するための互いに異なる発光スペクトルを有する第一光源と第二光源を有し、ピクセル形成部は、第一光源によって照射されると第一色の透過光を放射し第二光源によって照射されると第二色の透過光を放射する第一カラーフィルタを有する第一サブピクセル形成部と、第二光源によって照射されると第三色の透過光を放射する第二カラーフィルタを有する第二サブピクセル形成部とから構成され、ピクセル形成部を第一光源と前記第二光源とによって交互に照射するとともに、第一サブピクセル形成部と第二サブピクセル形成部の透過率とを独立に制御する。【選択図】図２
2009265135.tif 000002
【特許請求の範囲】
【請求項１】
二次元配列された複数のピクセル形成部を有するパネルと、前記ピクセル形成部を照射する第一光源と、前記ピクセル形成部を照射する第二光源と、前記第一光源と前記第二光源と前記パネルとを制御する制御ユニットと、を備える表示装置であって、
前記第一光源と前記第二光源とは互いに異なる発光スペクトルを有し、
前記ピクセル形成部は、
前記第一光源によって照射されると第一色の透過光を放射し前記第二光源によって照射されると第二色の透過光を放射する第一サブピクセル形成部と、
前記第一サブピクセル形成部と異なる透過スペクトルを有し前記第二光源によって照射されると第三色の透過光を放射する第二サブピクセル形成部と、から構成され、
前記制御ユニットは、前記第一光源と前記第二光源とを交互に点灯するとともに、前記第一光源によって照射されている前記第一サブピクセル形成部の透過率と前記第二光源によって照射されている前記第一サブピクセル形成部の透過率と前記第二光源によって照射されている前記第二サブピクセル形成部の透過率とを独立に制御する、
表示装置。
【請求項２】
前記第一光源が放射する光である第一放射光の色と前記第二光源が放射する光である第二放射光の色とは補色の関係である、
請求項１に記載の表示装置。
【請求項３】
前記第一光源は、１つ以上のピーク帯域を有する第一放射光を放射し、
前記第二光源は、２つ以上のピーク帯域を有する第二放射光を放射し、
前記第一サブピクセル形成部の透過帯域は、前記第一放射光の第一位のピーク帯域と、前記第二放射光の第一位のピーク帯域または第二位のピーク帯域のいずれか１つとを含み、
前記第二サブピクセル形成部の透過帯域は、前記第二放射光のピーク帯域のうち前記第一サブピクセル形成部の透過帯域に含まれない前記第一位のピーク帯域または前記第二位のピーク帯域を含む、
請求項１に記載の表示装置。
【請求項４】
前記第二放射光の第一位のピーク帯域と前記第二放射光の第二位のピーク帯域との波長差は、前記第一放射光の第一位のピーク帯域と前記第二放射光の第一位のピーク帯域または前記第二放射光の前記第二位のピーク帯域との波長差よりも大きい、
請求項３に記載の表示装置。
【請求項５】
前記第一光源が放射する光である第一放射光のピーク帯域は、Ｒ単色光、Ｇ単色光およびＢ単色光の波長のいずれか１つを含み、
前記第二光源が放射する光である第二放射光の２つのピーク帯域は、前記Ｒ単色光、前記Ｇ単色光、前記Ｂ単色光の波長のうち前記第一光源のピーク帯域に含まれない２つの波長をそれぞれ１つ含む、
請求項１に記載の表示装置。
【請求項６】
前記第一色は緑である、
請求項１に記載の表示装置。
【請求項７】
前記第一光源が放射する光である第一放射光の色は緑である、
請求項１に記載の表示装置。
【請求項８】
前記第二サブピクセル形成部は、前記第一光源によって照射されると前記第一色と同じ色の光を透過させる透過スペクトルを有する、
請求項１に記載の表示装置。
【請求項９】
前記第一光源は一波長の蛍光体を放射源として備える陰極蛍光管であって、
前記第二光源は二波長の蛍光体を放射源として備える陰極蛍光管である、
請求項１に記載の表示装置。
【請求項１０】
前記第一光源および前記第二光源を有する直下型バックライトを備える、
請求項１に記載の表示装置。
【請求項１１】
前記パネルは、前記第一サブピクセル形成部の透過率と前記第二サブピクセル形成部の透過率とを制御するためのデータ信号が印加される複数のデータ線と前記データ線に交差し前記サブピクセル形成部の透過率の変化タイミングを制御するための選択信号が印加される複数の走査線とを備え、
前記第一光源と前記第二光源とは、それぞれ複数備えられるとともに前記走査線の配列方向にミックス配列され、
前記制御ユニットは、前記選択信号による走査周期と同一の周期で複数の前記第一光源を順次点灯および順次消灯するとともに前記選択信号による走査周期と同一の周期で複数の前記第二光源を順次点灯および順次消灯する、
請求項１０に記載の表示装置。
【請求項１２】
前記第一光源と前記第二光源とは交互に配列されている、
請求項１に記載の表示装置。
【請求項１３】
前記第一光源は１種類のＬＥＤチップを備え、
前記第二光源は発色の異なる２種類のＬＥＤチップを備える、
請求項１に記載の表示装置。
【請求項１４】
前記第一光源は、第一ＬＥＤを備え、
前記第二光源は、前記第一ＬＥＤと異なる光を放射する第二ＬＥＤと前記第二ＬＥＤの放射光によって励起されると前記第二ＬＥＤの放射光と異なるスペクトルの光を放射する蛍光体とを備える、
請求項１に記載の表示装置。
【請求項１５】
二次元に配列された前記第一光源および前記第二光源を有する直下型バックライトを備える、
請求項１に記載の表示装置。
【請求項１６】
前記パネルは、前記第一サブピクセル形成部の透過率と前記第二サブピクセル形成部の透過率とを制御するためのデータ信号が印加される複数のデータ線と前記データ線に交差し前記サブピクセル形成部の透過率の変化タイミングを制御するための選択信号が印加される複数の走査線とを備え、
前記第一光源と前記第二光源とは、それぞれ複数備えられるとともに前記走査線の配列方向にミックス配列され、
前記制御ユニットは、前記選択信号による走査周期と同一の周期で複数の前記第一光源を順次点灯および順次消灯するとともに前記選択信号による走査周期と同一の周期で複数の前記第二光源を順次点灯および順次消灯する、
請求項１に記載の表示装置。
【請求項１７】
互いに発光スペクトルが異なる第一光源と第二光源とによって照射され二次元配列された複数のピクセル形成部を有するパネルであって、
前記ピクセル形成部は、
第一サブピクセル形成部と、
前記第一サブピクセル形成部と異なる透過スペクトルを有する第二サブピクセル形成部と、から構成され、
前記第一光源によって照射された状態では第一サブピクセル形成部から第一色の光が透過し、
前記第二光源によって照射された状態では前記第一サブピクセル形成部を第二色の光が透過するとともに前記第二サブピクセル形成部を第三色の光が透過する、
パネル。
【請求項１８】
カラーチャネルが１つまたは２つである第一サブフレームデータおよびカラーチャネルが２つである第二サブフレームデータを交互に用いてパネルを駆動するとともに、互いに異なる発光スペクトルを有する第一光源および第二光源を交互に点灯することにより前記パネルを照射する、
表示装置の制御方法。
【発明の詳細な説明】
【技術分野】
【０００１】
本発明は表示装置、パネル、バックライトおよび表示装置の制御方法に関し、特にカラー表示装置に関する。
【背景技術】
【０００２】
従来、表示装置のカラー表示方法として画素分割法とフィールドシーケンシャル法が知られている（例えば特許文献１、２、３、４、５、６参照）。画素分割法とは互いに異なる色の光を透過する３色のカラーフィルタによって白色の光を分光するとともに、各カラーフィルタを透過する光の強度を液晶などで独立に制御することによってカラー表示する方法である。フィールドシーケンシャル法とは、時分割して放射される３色の色の光の強度を独立に液晶などで制御することによってカラー表示する方法である。特許文献６には、補色関係にある２色の光を３色のカラーフィルタによって分光し、各カラーフィルタを透過する光の強度を液晶で独立に制御することによってカラー表示する方法が記載されている（特許文献６の図２等参照）。
【特許文献１】特開２０００−３２１５５１号公報
【特許文献２】特開平１１−１１９１８９号公報
【特許文献３】特開２００３−２２２８５８号公報
【特許文献４】特開２００３−１１４４２４号公報
【特許文献５】特開２００５−２７５１４７号公報
【特許文献６】国際公開ＷＯ２００７／０６６４３５号パンフレット
【発明の開示】
【発明が解決しようとする課題】
【０００３】
しかし従来の画素分割法では、１ピクセルの表示に対して少なくとも３サブピクセルの同時表示が必要であり、サブピクセル毎に配線やトランジスタ等の不透明要素が必要になるため、フィールドシーケンシャル法に比べて光の利用効率が低くなる。また、光源の放射光を3種類のカラーフィルタで分離する従来の画素分割法では、表示の明るさを増すために光源の放射光の強度を上げ、透過光の強度を上げるとカラーフィルタによる完全な色分離ができなくなるため、表示色の原刺激となる透過光の純度がフィールドシーケンシャル法に比べて低くなる。一方、従来のフィールドシーケンシャル法では、１フレームに対して少なくとも３つのサブフレーム表示が必要になるため、画素分割法に比べて応答が速い液晶および光源と、動作周波数の高い駆動回路とが必要になる。このため、従来のフィールドシーケンシャル法では画素分割法と同等の表示性能を満たすことが困難である。また特許文献６の図２等に記載に記載されたカラー表示方法は、補色関係にある２つの光源と３つのカラーフィルタとを用いてカラー表示を実現するものであるが、３つのサブピクセルについてそれぞれ配線やトランジスタ等の不透明要素が必要になるため、フィールドシーケンシャル法に比べて光の利用効率が低くなる。
【０００４】
本発明は、サブフレーム周波数を抑えることができ、且つ、光の利用効率を高めながら表示色の彩度を向上させることができる表示装置を提供することを目的とする。
【課題を解決するための手段】
【０００５】
（１）上記目的を達成するための表示装置は、二次元配列された複数のピクセル形成部を有するパネルと、前記ピクセル形成部を照射する第一光源と、前記ピクセル形成部を照射する第二光源と、前記第一光源と前記第二光源と前記パネルとを制御する制御ユニットと、を備える表示装置であって、前記第一光源と前記第二光源とは互いに異なる発光スペクトルを有し、前記ピクセル形成部は、前記第一光源によって照射されると第一色の透過光を放射し前記第二光源によって照射されると第二色の透過光を放射する第一サブピクセル形成部と、前記第一サブピクセル形成部と異なる透過スペクトルを有し前記第二光源によって照射されると第三色の透過光を放射する第二サブピクセル形成部と、から構成され、前記制御ユニットは、前記第一光源と前記第二光源とを交互に点灯するとともに、前記第一光源によって照射されている前記第一サブピクセル形成部の透過率と前記第二光源によって照射されている前記第一サブピクセル形成部の透過率と前記第二光源によって照射されている前記第二サブピクセル形成部の透過率とを独立に制御する。
【０００６】
この表示装置によると従来の画素分割法に比べて光源から放射される光の利用効率が高いカラー表示が可能である。またこの表示装置によると、サブフレーム周波数を抑えつつ、従来の画素分割法に比べて彩度の高い色を表示できる。
【０００７】
（２）上記目的を達成するための表示装置において、前記第一光源が放射する光である第一放射光の色と前記第二光源が放射する光である第二放射光の色とは補色の関係であることが好ましい。
２つの光源の発光色が補色関係にある場合、色相方向においてバランス良く彩度の高い色を表示することができる。
【０００８】
（３）上記目的を達成するための表示装置において、前記第一光源は、１つ以上のピーク帯域を有する第一放射光を放射し、かつ、前記第二光源は、２つ以上のピーク帯域を有する第二放射光を放射し、かつ、前記第一サブピクセル形成部の透過帯域は、前記第一放射光の第一位のピーク帯域と、前記第二放射光の第一位のピーク帯域または第二位のピーク帯域のいずれか１つとを含み、かつ、前記第二サブピクセル形成部の透過帯域は、前記第二放射光の２つのピーク帯域のうち前記第一サブピクセル形成部の透過帯域に含まれない前記第一位のピーク帯域または前記第二位のピーク帯域を含むことが好ましい。
【０００９】
この場合、第一光源および第二光源から放射される光の利用効率が高くなるとともに表示色の原刺激である透過光の純度が高くなるため彩度の高い色の表示が可能になる。
【００１０】
（４）前記第二放射光の第一位のピーク帯域と前記第二放射光の第二位のピーク帯域との波長差は、前記第一放射光の第一位のピーク帯域と前記第二放射光の第一位のピーク帯域または前記第二放射光の前記第二位のピーク帯域との波長差よりも大きいことが好ましい。
この場合、そうでない場合に比べ、表示色の原刺激である透過光の純度が高くなるため彩度の高い色の表示が可能になる。
【００１１】
（５）上記目的を達成するための表示装置において、前記第一放射光のピーク帯域は、Ｒ単色光、Ｇ単色光およびＢ単色光の波長のいずれか１つを含み、かつ、前記第二光源が放射する光である前記第二放射光の２つのピーク帯域は、前記Ｒ単色光、前記Ｇ単色光、前記Ｂ単色光の波長のうち前記第一光源のピーク帯域に含まれない２つの波長をそれぞれ１つ含むことが好ましい。
この場合、そうでない場合に比べて色域を狭めずに忠実な色再現をすることが容易になる。
【００１２】
（６）上記目的を達成するための表示装置において、前記第一色は緑であることが好ましい。
この場合、視感度が最も高い緑の透過光の強度を独立に制御できるため、そうでない場合に比べてホワイトバランスを高精度に制御することができる。
【００１３】
（７）上記目的を達成するための表示装置において、前記第一光源が放射する光である第一放射光の色は緑であることが好ましい。
この場合、視感度が最も高い緑の光を独立して光源から放射することができる。視感度が最も高い緑の透過光の純度を高めることが容易になり、その結果、ホワイトバランスを高精度に調整することができる。
【００１４】
（８）上記目的を達成するための表示装置において、前記第二サブピクセル形成部は、前記第一光源によって照射されると前記第一色と同じ色の光を透過させる透過スペクトルを有することが好ましい。
ここでいう同じ色とは、二色が同じ基本色名を用いて表現されることを意味する。この場合、第一光源を点灯した状態において第一サブピクセル形成部および第二サブピクセル形成部の両方に同じ色の光を透過させることができるため、そうでない場合に比べ、第一光源から放射される光の利用効率が上がるとともに、第一光源から放射されることによって得られる色の光の強度を高精度に調整することができる。
【００１５】
（９）上記目的を達成するための表示装置において、前記第一光源は一波長の蛍光体を放射源として備える陰極蛍光管であって、かつ、前記第二光源は二波長の蛍光体を放射源として備える陰極蛍光管であることが好ましい。
一波長の蛍光体とは、放射光のピーク帯域が１つである蛍光体である。二波長の蛍光体とは、放射光のピーク帯域が２つである蛍光体である。この場合、そうでない場合に比べ、表示色の原刺激である透過光の純度を高くできるため、彩度の高い色を表示できる。
【００１６】
（１０）上記目的を達成するための表示装置において、前記第一光源および前記第二光源を有する直下型バックライトを備えることが好ましい。
この場合、エッジライト型バックライトでパネルを照射する場合に比べ、光の利用効率を高くすることができる。
【００１７】
（１１）上記目的を達成するための表示装置において、前記パネルは、前記第一サブピクセル形成部の透過率と前記第二サブピクセル形成部の透過率とを制御するためのデータ信号が印加される複数のデータ線と前記データ線に交差し前記サブピクセル形成部の透過率の変化タイミングを制御するための選択信号が印加される複数の走査線とを備え、かつ、前記第一光源と前記第二光源とは、それぞれ複数備えられるとともに前記走査線の配列方向にミックス配列され、かつ、前記制御ユニットは、前記選択信号による走査周期と同一の周期で複数の前記第一光源を順次点灯および順次消灯するとともに前記選択信号による走査周期と同一の周期で複数の前記第二光源を順次点灯および順次消灯することが好ましい。
ミックス配列とは、第一光源と第二光源が入り交じって配列されることを意味する。この場合、そうでない場合に比べて画像を明るく表示することができる。
【００１８】
（１２）上記目的を達成するための表示装置において、前記第一光源と前記第二光源とは交互に配列されることが好ましい。
この場合、そうでない場合に比べて各ピクセル形成部の表示色を均一化することができる。
【００１９】
（１３）上記目的を達成するための表示装置において、前記第一光源は発色の異なる２種類のＬＥＤチップを備え、前記第二光源は１種類のＬＥＤチップを備えてもよい。
ＬＥＤチップはＬＥＤ単体またはＬＥＤと蛍光体とによってただ１色の光を放射する単位要素である。
【００２０】
（１４）上記目的を達成するための表示装置において、前記第一光源は、第一ＬＥＤを備え、かつ、前記第二光源は、前記第一ＬＥＤと異なる光を放射する第二ＬＥＤと前記第二ＬＥＤの放射光によって励起されると前記第二ＬＥＤの放射光と異なるスペクトルの光を放射する蛍光体とを備えてもよい。
この場合、３種類のＬＥＤを用いて第一光源および第二光源を構成する場合に比べ、ＬＥＤの種類を少なくできる。
【００２１】
（１５）上記目的を達成するための表示装置において、二次元に配列された前記第一光源および前記第二光源を有する直下型バックライトを備えてもよい。
この場合、エッジライト型バックライトでパネルを照射する場合に比べ、光の利用効率を高くすることができる。
【００２２】
（１６）上記目的を達成するための表示装置において、前記パネルは、前記第一サブピクセル形成部の透過率と前記第二サブピクセル形成部の透過率とを制御するためのデータ信号が印加される複数のデータ線と前記データ線に交差し前記サブピクセル形成部の透過率の変化タイミングを制御するための選択信号が印加される複数の走査線とを備え、かつ、前記第一光源と前記第二光源とは、それぞれ複数備えられるとともに前記走査線の配列方向にミックス配列され、かつ、前記制御ユニットは、前記選択信号による走査周期と同一の周期で複数の前記第一光源を順次点灯および順次消灯するとともに前記選択信号による走査周期と同一の周期で複数の前記第二光源を順次点灯および順次消灯してもよい。
この場合、そうでない場合に比べて画像を明るく表示することができる。
【００２３】
（１７）上記目的を達成するためのパネルは、互いに発光スペクトルが異なる第一光源と第二光源とによって照射され二次元配列された複数のピクセル形成部を有するパネルであって、前記ピクセル形成部は、第一サブピクセル形成部と、前記第一サブピクセル形成部と異なる透過スペクトルを有する第二サブピクセル形成部と、から構成され、前記第一光源によって照射された状態では第一サブピクセル形成部から第一色の光が透過し、前記第二光源によって照射された状態では前記第一サブピクセル形成部を第二色の光が透過するとともに前記第二サブピクセル形成部を第三色の光が透過する。
【００２４】
（１８）上記目的を達成するための表示装置の制御方法は、カラーチャネルが１つまたは２つである第一サブフレームデータおよびカラーチャネルが２つである第二サブフレームデータを交互に用いてパネルを駆動するとともに、互いに異なる発光スペクトルを有する第一光源および第二光源を交互に点灯することにより前記パネルを照射する。
【００２５】
これらのパネルおよび表示装置の制御方法によると、１つのピクセル形成部あたりに必要なサブピクセル形成部は２つとなるため、従来のフィールドシーケンシャル法に比べて表示装置の光の利用効率を高めることができる。また、これらのパネル、バックライト、および表示装置の制御方法によると、２つのサブフレームを時分割表示することにより３色混合または４色混合のカラー画像を表示でき、表示色の原刺激となる３色または４色の透過光を光源の交互点灯により時間軸において二分できるため、サブフレーム周波数を抑えつつ、従来の画素分割法に比べて彩度の高い色を表示できる。
【発明の効果】
【００２６】
以上説明した発明によると、サブフレーム周波数を抑えつつ、表示装置の光の利用効率と表示色の彩度とを両立させることができる。
【発明を実施するための最良の形態】
【００２７】
（原理）
はじめに、図1Ａ、図１Ｂを参照して、本発明の原理を説明する。
図１Ａ、図1Ｂは、本発明に係る表示装置の基本的な考え方を説明するための図である。図において、Ｌ１、Ｌ２はそれぞれ異なる発光スペクトルを有する2種類の光源であり、それぞれの光源Ｌ１、Ｌ２に対応して、第1サブピクセル形成部Ｐ１、第２サブピクセル形成部Ｐ２が配置されている。サブピクセル形成部Ｐ１、Ｐ２は、一組となって1つのピクセル形成部を構成している。そして、前記サブピクセル形成部Ｐ１、Ｐ２は、前記1つのピクセル形成部が任意の有彩色点を表示するために必要な1つの原刺激としての透過光の強度を制御するための単位要素となる。ピクセル形成部は任意の有彩色点を表示する単位要素である。２種類の光源Ｌ１、Ｌ２からは発光スペクトルが互いに異なる光が放射される。２つのサブピクセル形成部の一方である第一サブピクセル形成部Ｐ１からは２色の透過光が時分割して放射される。このため、１つのピクセル形成部を従来の画素分割法より１つ少ない２つのサブピクセル形成部Ｐ１、Ｐ２から構成することができる。したがって従来の画素分割法に比べて光源から放射される光の利用効率が高いカラー表示が可能である。
【００２８】
また図１Ａに示すように第一光源Ｌ１の点灯によってモノカラー画像を表示し、図１Ｂに示すように第二光源Ｌ２の点灯によって２色混合のカラー画像を表示することにより３色混合のカラー画像を表示できる。すなわち、この表示装置によると、表示色の原刺激となる３色の透過光を、光源Ｌ１、Ｌ２の交互点灯による時間軸の二分によって得ることができる。これは、３色混合のカラー画像を２フィールドで表示できることを意味しており、従って、サブフレーム周波数を抑えつつ、従来の画素分割法に比べ彩度の高い色を表示できることなる。
【００２９】
補色の関係とは、本来、加法混色により無彩色に等色される２色の関係をいうが、本明細書では、本来の補色関係よりも緩やかな対応関係の意味で補色の用語を用いる。すなわち本明細書では、彩度の低い色を無彩色とみなすことにより本来の補色関係が成立する２つの色の関係を含めて補色の関係という。具体的には、２３区分の系統色名（Ｋｅｌｌｙ、１９４３）としての白に区分される範囲を無彩色とみなすことにより本来の補色関係が成立する２つの関係を補色の関係という。また本明細書では色を色名を用いて表現する場合、色は基本色名で区分されるものとする。本来修飾語を用いることにより系統色として区別可能な２色であっても同じ基本色名を用いて表現される系統色については２色を区別せず基本色名のみで色の範囲を表現するものとする。
【００３０】
２つの光源の発光色が補色関係にある場合、そうでない場合に比べ、無彩色からみて等方的に彩度の高い色を表示することができる。すなわちこの場合、色相方向においてバランス良く彩度の高い色を表示することができる。
【００３１】
前記第一光源は、１つ以上のピーク帯域を有する第一放射光を放射し、かつ、前記第二光源は、２つ以上のピーク帯域を有する第二放射光を放射し、かつ、前記第一サブピクセル形成部の透過帯域は、前記第一放射光の第一位のピーク帯域と、前記第二放射光の第一位のピーク帯域または第二位のピーク帯域のいずれか１つとを含み、かつ、前記第二サブピクセル形成部の透過帯域は、前記第二放射光の２つのピーク帯域のうち前記第一サブピクセル形成部の透過帯域に含まれない前記第一位のピーク帯域または前記第二位のピーク帯域を含む場合、第一放射光の第一位のピーク帯域が主成分に対応する第一色の光は、第一光源と第二光源が交互に点灯されるために第二色の光と第三色の光とから時分割される。またこの場合、第二色の主成分と第三色との主成分とに対応する第一位のピーク帯域と第二位のピーク帯域とを有する第二放射光が第一サブピクセル形成部と第二サブピクセル形成部とによって第二色の透過光と第三色の透過光とに分離される。２つの光源の上位のピーク帯域のそれぞれが互いに異なる１つの色の透過光の主成分に対応する場合、そうでない場合に比べて第一光源および第二光源から放射される光の利用効率が高くなるとともに、表示色の原刺激である透過光の純度が高くなるため彩度の高い色の表示が可能になる。
【００３２】
尚、放射光のピーク帯域とは、図６Ａ、図６Ｄ、図６Ｅにおいてハッチングが付されている帯域のように相対強度が明らかに高い波長成分が波長方向において連続している比較的狭い帯域をいうものとする。第ｎ（ｎ＝１，２，３，・・・）位のピーク帯域というときには、当該ピーク帯域の最大の相対強度が全てのピーク帯域毎にある最大の相対強度のうちで第ｎ番目に大きいピーク帯域をいうものとする。透過帯域とは透過限界波長を閾とする相対的に透過率が高い帯域を意味する。尚、フィルタの分光透過率において透過率が７２％以上となる閾の波長値と５％以下となる閾の波長値の間隔を波長傾斜幅といい、波長傾斜幅の中点に該当する波長を透過限界波長という。
【００３３】
前記第二放射光の第一位のピーク帯域と前記第二放射光の第二位のピーク帯域との波長差が、前記第一放射光の第一位のピーク帯域と前記第二放射光の第一位のピーク帯域または前記第二放射光の前記第二位のピーク帯域との波長差よりも大きい場合、そうでない場合に比べ、表示色の原刺激である透過光の純度が高くなるため彩度の高い色の表示が可能になる。その理由は次の通りである。すなわち、カラーフィルタには相当広い波長傾斜幅があるため、２種類のカラーフィルタで光を分離したとしても、光の一部の帯域成分については２種類のカラーフィルタの両方を相当量透過し得る。すると、表示色の原刺激の純度が下がるため色域が狭くなる。したがって、第一サブピクセル形成部と第二サブピクセル形成部とから２つの原刺激となる透過光を同時に放射する構成においては、第二光源から放射される第二放射光の第一位のピーク帯域と第二放射光の第二位のピーク帯域とはなるべく離れていた方がよい。したがって、上記のように第一光源の発光スペクトルと第二光源の発光スペクトルとを設計することにより、彩度の高い色の表示が可能になるのである。
【００３４】
前記第一放射光のピーク帯域は、Ｒ単色光、Ｇ単色光およびＢ単色光の波長のいずれか１つを含み、かつ、前記第二光源が放射する光である前記第二放射光の２つのピーク帯域は、前記Ｒ単色光、前記Ｇ単色光、前記Ｂ単色光の波長のうち前記第一光源のピーク帯域に含まれない２つの波長をそれぞれ１つ含む場合、そうでない場合に比べて色域を狭めずに忠実な色再現をすることが容易になる。Ｒ単色光、Ｇ単色光、Ｂ単色光は、例えばＣＩＥが定める原刺激やデファクトスタンダードとなっている原刺激となる色の単色光である。
【００３５】
以下、本発明の実施の形態を添付図面を参照しながら説明する。尚、各図において対応する構成要素には同一の符号が付され、重複する説明は省略される。
【００３６】
（第一実施形態）
１．表示装置の全体構成
図２は本発明の一実施形態としての表示装置の全体構成を示す模式図である。表示装置１は、アクティブマトリクス型の液晶パネル１３と、液晶パネル１３を駆動するためのデータドライバ１１とゲートドライバ１２と、直下型のバックライト１６と、バックライト１６の点灯と消灯を制御するためのスイッチング回路１６７、１６８と、データドライバ１１とゲートドライバ１２とバックライト１６とを制御するコントローラ１０と、電源ユニット１７とを備える。コントローラ１０、データドライバ１１、ゲートドライバ１２およびスイッチング回路１６７、１６８は制御ユニットを構成している。
【００３７】
２．パネルの構成
図２に示す液晶パネル１３には、多数のデータ線ＤＬと多数の走査線ＧＬとが格子状に形成されている。液晶パネル１３には、データ線ＤＬと走査線ＧＬの各交差点と一対一に対応して配置されたサブピクセル形成部が多数備わっている。
【００３８】
図３は液晶パネル１３の断面構造を示す模式図である。アクティブマトリクス型の液晶パネル１３には、水平方向に隣り合う第一サブピクセル形成部２１と第二サブピクセル形成部２２とから構成される多数のピクセル形成部２０が二次元マトリクス状に配列されている。
【００３９】
第一サブピクセル形成部２１と第二サブピクセル形成部２２の構成は、それぞれのカラーフィルタの透過スペクトルが互いに異なる点を除いて実質的に同一である。以下、サブピクセル形成部の積層構造を具体的に説明する。
【００４０】
２枚のガラス基板１３２、１３７によって保持されている液晶１３５は、２層の配向膜１３４、１３６に接し、例えばガラス基板１３２に対してほぼ垂直に配向されている。
第一サブピクセル形成部２１の表示電極２８１と、第二サブピクセル形成部２２の表示電極２８２とは、それぞれ液晶１３５を間に挟んで共通電極１３３と対向している。第一サブピクセル形成部２１に対応するデータ線ＤＬはＴＦＴ２６１のソースに接続され、ＴＦＴ２６１のドレインは表示電極２８１に接続され、ＴＦＴ２６１のゲートは走査線ＧＬ（図２参照）に接続されている。
【００４１】
走査線ＧＬに選択信号が印加されるとＴＦＴ２６のソースとドレインが接続状態になり、データ線ＤＬに印加されているデータ信号に対応した強さの電界が表示電極２８と共通電極１３３との間に生ずる。このように表示電極２８と共通電極１３３との間に生ずる電界の強さに応じて、隣接する他のサブピクセル形成部とは独立して各サブピクセル形成部内で液晶１３５の配向が変化する。表示電極２８と共通電極１３３との間に電界が生じているとき、バックライト１６に近い方のガラス基板１３７に接合された偏光フィルム１３８を透過した直線偏光が液晶１３５によって楕円偏光となるため、ガラス基板１３２に接合された偏光フィルム１３１を透過した光の強度は、表示電極２８に接続されたデータ線ＤＬに印加されたデータ信号の値に応じた強度となる。
【００４２】
ブラックマトリクス２３の第一サブピクセル形成部２１内の開口部２３１には第一カラーフィルタ２４１が形成されている。ブラックマトリクス２３の第二サブピクセル形成部２２内の開口部２３２には第二カラーフィルタ２４２が形成されている。第一サブピクセル形成部２１に備わる第一カラーフィルタ２４１の透過スペクトルと第二サブピクセル形成部２２に第二カラーフィルタ２４２の透過スペクトルとが異なるため、白色光の透過によって観察される第一カラーフィルタ２４１と第二カラーフィルタ２４２の色は異なる。第一サブピクセル形成部２１および第二サブピクセル形成部２２の透過スペクトルはカラーフィルタ２４１、２４２、液晶１３５、偏光フィルム１３１、１３８、ガラス基板１３２、１３７等の透過スペクトルによって決まる。液晶１３５などカラーフィルタ以外の透光性構成物は第一サブピクセル形成部２１および第二サブピクセル形成部２２において共通である。したがって、第一サブピクセル形成部２１および第二サブピクセル形成部２２の透過スペクトルの違いは第一カラーフィルタ２４１の透過スペクトルと第二カラーフィルタ２４２の透過スペクトルの違いによって生ずる。図２では、第一サブピクセル形成部２１の表示電極２８１と第二サブピクセル形成部２２の表示電極２８２の配列によって、第一サブピクセル形成部２１と第二サブピクセル形成部２２の配列が示されている。すなわち、液晶パネル１３のカラーフィルタの配列は２色のストライプ状である。
その他、各ピクセル形成部には蓄積容量電極などが備えられるが、説明を省略する。
【００４３】
３．バックライトの構成
液晶パネル１３の背後にはバックライト１６が設けられている。バックライト１６は光学シート１８を介して液晶パネル１３を照射するための面光源として機能する。図２に示すように、バックライト１６は、第一光源ＬＧと第二光源ＬＭとを走査線ＧＬの配列方向に交互に配列した直下型である。第一光源ＬＧは制御ユニットの構成要素としてのスイッチング回路１６７に接続されており、順次点灯可能であるとともに順次消灯可能である。第二光源ＬＭは制御ユニットの構成要素としてのスイッチング回路１６８に接続されており、順次点灯可能であるとともに順次消灯可能である。
【００４４】
第一光源ＬＧと第二光源ＬＭは、いずれも冷陰極蛍光管であって、互いに異なる発光スペクトルを有する。冷陰極蛍光管は熱陰極蛍光管に比べて寿命が長いという利点がある。蛍光管の発光スペクトルは、放射源である蛍光体の混合によって調整される。例えば下の表１に示す赤色の発色の蛍光体、緑色の発色の蛍光体、青色の発色の蛍光体を蛍光管の内壁面に積層することによって蛍光管の発光スペクトルを設計することができる。
【００４５】
【表１】
2009265135.tif 000003
【００４６】
４．カラーフィルタと光源の色の組み合わせ
カラーフィルタの透過光の色は、光源の発光スペクトルとカラーフィルタの透過スペクトルとによって決まる。１つのピクセル形成部２０によって形成すべきピクセルの色は、第一サブピクセル形成部２１を透過した光と第二サブピクセル形成部２２を透過した光とを特定の割合で混合することよって等色することができる。３色混合のカラー表示を実現するためには、スペクトルが互いに異なる３色の透過光が必要である。第一サブピクセル形成部２１の第一カラーフィルタ２４１の透過スペクトルと第二サブピクセル形成部２２の第二カラーフィルタ２４２の透過スペクトルが異なり、第一光源ＬＧの発光スペクトルと第二光源ＬＭの発光スペクトルとが異なるため、原理的には４色混合のカラー表示が可能である。すなわち、第一光源ＬＧを点灯した状態では第一光源ＬＧから放射され第一サブピクセル形成部２１と第二サブピクセル形成部２２とをそれぞれ透過する２色の光の混合比を液晶に印加する電圧によって制御することができる。また第二光源ＬＭを点灯した状態では、第二光源ＬＭから放射され第一サブピクセル形成部２１と第二サブピクセル形成部２２とをそれぞれ透過する別の２色の光の混合比を液晶に印加する電圧によって制御することができる。さらに第一光源ＬＧと第二光源ＬＭとを点灯した状態では、別個独立に、液晶に印加する電圧を制御することができる。そしてこれらの４色は残像によって混合されるため、４色混合のカラー表示が可能になる。
【００４７】
はじめに、赤（Ｒ）の単色光、緑（Ｇ）の単色光、青（Ｂ）の単色光によって図４にハッチングで示す色域でのカラー表示を実現する原理について説明する。この場合には、第一光源ＬＧと第二光源ＬＭの発光スペクトルを重ね合わせたときに図５Ａに示すスペクトルになる必要がある。そこで例えば第一光源ＬＧの放射光を図５Ｃに示すスペクトルを有する緑の色とし、第二光源ＬＭの放射光を図５Ｂに示すスペクトルを有するマゼンタの色とする。これにより、緑の放射光のカラーフィルタを透過した光の強度とマゼンタの放射光のカラーフィルタを透過した光の強度とを時分割して液晶で制御することが可能になる。すなわち、光源の放射光の赤の成分と青の成分とから緑の成分をカラーフィルタを用いずに分離することができる。マゼンタの色の放射光を赤の色の透過光と青の色の透過光とに分離するためには、例えば第一カラーフィルタ２４１において青の成分を吸収するとともに赤の成分を透過させ（図５Ｄ参照）、第二カラーフィルタ２４２において赤の成分を吸収するとともに青の成分を透過させればよい（図５Ｅ参照）。これにより、第二光源ＬＭが点灯している状態では、赤の単色透過光の強度と青の単色透過光の強度とを独立に、液晶に印加する電圧で制御することが可能になる。そして第一カラーフィルタ２４１、第二カラーフィルタ２４２の少なくともいずれか一方が、第一光源ＬＧから放射される緑の単色光を透過する透過スペクトルを有していれば（図５Ｄ、図５Ｅ参照）、第一光源ＬＧを点灯した状態において緑の単色透過光の強度を液晶に印加する電圧で制御できる。すなわち、マゼンタの光源と緑の光源といわゆる黄のカラーフィルタといわゆるシアンのカラーフィルタとを用いることにより、赤の透過光の強度と緑の透過光の強度と青の透過光の強度とを互いに独立に制御することができる。
【００４８】
一般化すれば、２つの光源から色の異なる２種類の光を放射し、そのうちの１つの光源から放射される１つの色の光から２種類のカラーフィルタで色の異なる２つの透過光を取り出すことにより、３色混合の１つの色を表示することが可能になり、液晶に印加する電圧によって３色の光の混合比を変えることによってカラーの階調表示が可能になる。彩度の高い色を表示するためには、スペクトルが単色光に近い透過光、すなわち純度が高い透過光を、光源の発光スペクトルとカラーフィルタの透過スペクトルの調整によって作り出せばよい。光の利用効率を高めるためには、光源の発光スペクトルとカラーフィルタの透過スペクトルを近似させればよい。色域を広くするためには、３つの透過光の色が頂点に対応する色度座標平面上の三角形の面積が大きくなるように光源の発光スペクトルとカラーフィルタの透過スペクトルを調整すればよい。無彩色を表示するためにはその三角形に無彩色点が内包されるように光源の発光スペクトルとカラーフィルタの透過スペクトルを調整すればよい。彩度を高めるためには光源の放射光の純度を高めればよい。色相方向においてバランス良く彩度の高い色を表示するためには、２つの光源の放射光の色を補色の関係にすればよい。
【００４９】
次に、より具体的な実施態様に基づいてカラーフィルタと光源の色の組み合わせを説明する。
図６Ａ、図７Ａではそれぞれ第一光源ＬＧ、第二光源ＬＭの発光スペクトルを実線で示している。図６および図７の各分図において、縦線は光源の放射光のピーク波長を示し、ハッチングは光源の放射光のピーク帯域を示している。第一光源ＬＧは、緑の帯域にスペクトルピークを有するいわゆる一波長陰極蛍光管であって、その放射光の色は緑である。第二光源ＬＭは、赤の帯域と青の帯域とにスペクトルピークを有するいわゆる二波長陰極蛍光管であって、その放射光の色はマゼンタである。
【００５０】
図６Ｂおよび図７Ｂはいずれも第一カラーフィルタ２４１の透過スペクトルを示している。図６Ｃおよび図７Ｃはいずれも第二カラーフィルタ２４２の透過スペクトルを示している。第一カラーフィルタ２４１は、透過帯域に第一光源ＬＧの緑のピーク帯域と第二光源ＬＭの赤のピーク帯域とを含むとともに第二光源ＬＭの青のピーク帯域を含まない。第一カラーフィルタ２４１の白色光を透過して観察される色は黄である。第二カラーフィルタ２４２は、透過帯域に第一光源ＬＧの緑のピーク帯域と第二光源ＬＭの青のピーク帯域とを含むとともに第二光源ＬＭの赤のピーク帯域を含まない。第二カラーフィルタ２４２の白色光を透過して観察される色はシアン（緑みの青）である。誤解のない文脈では、第一カラーフィルタ２４１の色を黄、第二カラーフィルタ２４２の色をシアンと表現することができる。
【００５１】
したがって、第一光源ＬＧから放射される緑の光は第一カラーフィルタ２４１および第二カラーフィルタ２４２からそれぞれ緑の光として透過する（図６Ｄ、図６Ｅ参照）。第二光源ＬＭから放射されるマゼンタの光は、第一カラーフィルタ２４１から赤の光として透過し（図７Ｄ参照）、第二カラーフィルタ２４２から青の光として透過する（図７Ｅ参照）。
【００５２】
第一カラーフィルタ２４１および第二カラーフィルタ２４２の透過帯域の両方に赤、緑または青の帯域が含まれていれば、帯域が両方に含まれる色の放射光は第一サブピクセル形成部２１と第二サブピクセル形成部２２の両方から透過させることができる。上記の組み合わせの場合、緑の透過光が第一サブピクセル形成部２１と第二サブピクセル形成部２２の両方から得られる。すなわちこの場合、第一カラーフィルタ２４１、第二カラーフィルタ２４２のいずれかからのみ緑の光が透過する場合に比べ、第一光源ＬＧから放射される緑の光の利用効率が２倍になるとともに、２倍細かい階調で視感度が高い緑の放射光の強度を制御できる。
【００５３】
図６Ｄは第一光源ＬＧによって照射したときに第一サブピクセル形成部２１を透過する緑の光のスペクトルを示し、図６Ｅは第一光源ＬＧによって照射したときに第二サブピクセル形成部２２を透過する緑の光のスペクトルを示している。尚、第一光源ＬＧから放射され第一サブピクセル形成部２１を透過する光のスペクトルと第二サブピクセル形成部を透過する光のスペクトルが必ずしも一致している必要はない。すなわち、第一サブピクセル形成部２１および第二サブピクセル形成部２２の透過スペクトルは第二光源ＬＭとのマッチングも考慮して設計されるべきである。第一サブピクセル形成部２１を透過する光と第二サブピクセル形成部２２を透過する光とは同時に観者に知覚され、１つの色を観者に知覚させる。これらの２つの光を混合した光の色が緑として知覚されるように混合光のスペクトルを調整することでホワイトバランスの調整が容易になる。その緑の混合光の純度を高めることによりホワイトバランスを高精度に調整できる。
【００５４】
図６Ｂ、図６Ｃに示すように、カラーフィルタの透過スペクトルは一般にステップ状ではない。このため、２つのカラーフィルタによって波長差の小さい２つの成分に光を完全に分離することは困難である。したがって、相対光強度が最も高い第一ピーク帯域と相対光強度が２番目に高い第二ピーク帯域との波長差が近い光を２つのカラーフィルタによって分離する場合には、透過光の純度が低くなる。赤、緑、青の３色では緑と青の帯域が最も近いため、本実施形態では、光源の放射光の緑のピーク帯域と青のピーク帯域を第一光源ＬＧと第二光源ＬＭとに振り分けている。また放射光のピーク帯域をこのように振り分けることにより、視感度が高い緑のピーク帯域を他のピーク帯域と時分割して放射できるため、緑の透過光の純度を上げることが容易になる。その結果、ホワイトバランスの調整が容易になる。
【００５５】
規格化されたビデオ信号に対して忠実な色再現をするためには、その規格の原刺激の波長に対して、第一光源ＬＧおよび第二光源ＬＭの発光スペクトルのピークを近づけ、第一カラーフィルタ２４１および第二カラーフィルタ２４２の透過帯域に第二光源ＬＭおよび第一光源ＬＧの発光スペクトルのピーク帯域を含ませることが望ましい。光の利用効率を上げるためには、第一カラーフィルタ２４１の透過帯域に第一光源ＬＧの緑のピーク帯域と第二光源ＬＭの赤のピーク帯域が含まれ、第二カラーフィルタ２４２の透過帯域に第一光源ＬＧの緑のピーク帯域と第二光源ＬＭの青のピーク帯域が含まれるようにカラーフィルタの透過スペクトルを設計すればよい。
【００５６】
５．駆動回路
制御ユニットの構成要素としてのコントローラ１０にはビデオ信号が入力される。インターレス方式のビデオ信号の場合、１フレームの３色混合のカラー画像をカラーチャネルの異なる２フィールドで表示するためには１フレームの画像データ（フレームデータ）を保持するフレームメモリが必要になる。３色混合のカラー画像を２フィールドで表示するためには、カラーチャネルが１つであるサブフレームデータ（第一サブフレームデータ）とカラーチャネルが２つであるサブフレームデータ（第二サブフレームデータ）とにフレームデータを分割し、２つのサブフレームデータを時分割してデータドライバ１１に供給する必要があるからである。すなわち、コントローラ１０はビデオ信号に基づいてサブフレームデータを生成するためのＲＦ回路、色変換行列演算回路、フレームメモリ、同期信号をデータドライバ１１、ゲートドライバ１２、スイッチング回路１６７、１６８に供給するためのタイミングコントローラなどを備えている。
【００５７】
制御ユニットの構成要素としてのデータドライバ１１は、１Ｈ以上のサブフレームデータを保持し、複数のデータ線ＤＬに１Ｈ分のデータ信号を印加するためのラッチ回路などを備えている。データ信号はサブフレームデータに基づいて生成され、表示電極２８に印加されると、表示電極２８と共通電極１３３との間にそのデータ信号のレベルに応じた電位差を作り出す信号である。
【００５８】
制御ユニットの構成要素としてのゲートドライバ１２は、データドライバ１１によってデータ線ＤＬに印加されるデータ信号が印加されるべき表示電極２８が並ぶ列に対応する走査線ＧＬに対し、ＴＦＴ２６をオン状態にするための選択信号を印加する回路である。
【００５９】
６．駆動方法
図８は表示装置１の駆動方法を説明するための表である。本実施形態では、３色混合のカラー画像を表示するため、第一フィールドで緑のモノカラー画像を表示し、同じフレーム内の第二フィールドで赤と青の２色混合のカラー画像を表示し、残像効果を利用して３色混合のカラー画像を観者に知覚させる。
【００６０】
すなわち、第一フィールドでは、緑の光を放射する第一光源ＬＧを点灯し第二光源ＬＭを消灯した状態において、全てのデータ線ＤＬにデータドライバ１１から緑チャネルのデータ信号を印加する。したがって第一フィールドでは、第一サブピクセル形成部２１および第二サブピクセル形成部２２の両方から、緑チャネルのデータ信号のレベルに対応した強度の緑の透過光が放射される。第一フィールドにおいて第一サブピクセル形成部２１および第二サブピクセル形成部２２に印加される緑チャネルのデータ信号は１つのピクセル形成部２０において同じであっても異なっていても良い。
【００６１】
第二フィールドでは、マゼンタの光を放射する第二光源ＬＭを点灯し第一光源ＬＧを消灯した状態において、黄の第一カラーフィルタ２４１を備える第一サブピクセル形成部２１に対応するデータ線ＤＬにデータドライバ１１から赤チャネルのデータ信号を印加するともに、シアンの第二カラーフィルタ２４２を備える第二サブピクセル形成部２２に対応するデータ線ＤＬにデータドライバ１１から青チャネルのデータ信号を印加する。したがって第二フィールドでは、赤チャネルのデータ信号のレベルに対応した強度の赤の透過光が第一サブピクセル形成部２１から放射され、青チャネルのデータ信号のレベルに対応した強度の青の透過光が第二サブピクセル形成部２２から放射される。
【００６２】
第一フィールドおよび第二フィールドが連続すると、第一フィールドの残像と第二フィールドが同時に観者に知覚されることになり、その結果、１フレーム毎、ピクセル形成部２０毎に１つの色点が観者に知覚される。尚、光源とデータ信号のカラーチャネルの組み合わせに意味があるのであって、第一フィールドおよび第二フィールドの前後関係はどちらでもよい。
【００６３】
各フィールド期間においてゲートドライバ１２からゲート線ＧＬ1、ＧＬ2・・・に順次選択信号が印加されることによって順次各サブピクセル形成部において表示電極２８にデータ信号が印加される。すなわち、各サブピクセル形成部においては、対応するゲート線に選択信号が印加されることによって表示電極２８に保持されるデータ信号が変化し、そのタイミングで液晶に印加される電圧が変化することによって透過率が変化する。
【００６４】
全てのサブピクセル形成部においてビデオ信号の任意の１つのフィールドに対応するデータ信号が表示電極２８に保持されている期間中にのみ、そのフィールドに対応する第一光源ＬＧ、第二光源ＬＭのいずれか一方を全て点灯することにより、３色混合のカラー表示は可能である。しかし、全てのサブピクセル形成部においてビデオ信号の任意の１つのフィールドに対応するデータ信号が表示電極２８に保持されている期間は、２つのフィールドに対応するデータ信号を保持している表示電極２８が混在している期間に比べて相当短い。したがって、全てのサブピクセル形成部においてビデオ信号の任意の１つのフィールドに対応するデータ信号が表示電極２８に保持されている期間中にのみ、そのフィールドに対応する第一光源ＬＧ、第二光源ＬＭのいずれか一方を全て点灯するとすれば画像は相当暗くなる。
【００６５】
そこで本実施形態では、選択信号による走査周期と同一の周期で第一光源ＬＧおよび第二光源ＬＭをそれぞれ順次点灯および順次消灯する。すなわち、いずれかのフィールドに対応する透過率に安定した状態にあるサブピクセル形成部の列の近傍において、そのフィールドに対応する第一光源ＬＧ、第二光源ＬＭのいずれか一方を点灯する。例えば、そのフィールドに対応する透過率に安定した状態に遷移したサブピクセル形成部の列の近傍において第一光源ＬＧ（または第二光源ＬＭ）を順次点灯し、次のフィールドに対応するデータ信号がその列のサブピクセル形成部の表示電極２８に印加される前に、その列の直下にある第一光源ＬＧ（または第二光源ＬＭ）を順次消灯する。このような制御はコントローラ１０によるゲートドライバ１２とスイッチング回路１６７、１６８の同期制御によって行われる。同時に点灯状態にある蛍光管の数に特に制限はなく、例えば特定の期間において第一光源ＬＧの全部または第二光源ＬＭの全部が点灯状態にあっても良い。すなわち、第一光源ＬＧおよび第二光源ＬＭの点灯期間の長さは任意である。
【００６６】
７．効果
図９は本実施形態の表示装置１の光の利用効率を説明するための表である。比較例１は、白色光源と３色のカラーフィルタを用いて１つの色を表示する従来の画素分割法である。比較例２は、マゼンタの光源と緑の光源と３色のカラーフィルタを用いて１つの色を表示する方法である。比較例３は、赤の光源と緑の光源と青の光源とを用いて１つの色を表示する従来のフィールドシーケンシャル法である。
【００６７】
１つのピクセル形成部の画面上の面積をｓとしたとき、比較例１、２では、赤い光、緑の光、青の光を透過させるサブピクセル形成部の開口面積が０．３ｓであると仮定する。本実施形態では１つのピクセル形成部２０あたりのサブピクセル形成部の数が比較例１、２の２／３倍になるため、１つのサブピクセルの開口面積は比較例１、２の約３／２倍の約０．４５ｓとなる。さらに第一光源ＬＧから放射される緑の光は第一サブピクセル形成部２１および第二サブピクセル形成部２２の両方を透過するため、第一光源ＬＧから放射される緑の光に対しては約０．９ｓの割合でピクセル形成部２０が開口していることになる。
【００６８】
比較例１、２において赤の光、緑の光および青の光に対するカラーフィルタの透過率をそれぞれｔとしたとき、本実施形態では赤の光、緑の光および青の光に対するカラーフィルタの透過率をいずれもｔより大きくできる。なぜならば、放射光の赤のピーク帯域と緑のピーク帯域とをカラーフィルタで分離する必要が無く、光源の放射光の青のピーク帯域と緑のピーク帯域についてもカラーフィルタで分離する必要がないため、透過させるべきでない帯域まで高い透過率にすることができ、それにしたがって透過させるべき帯域の透過率が高くなるからである。本実施形態では、赤のピーク帯域と緑のピーク帯域の分離と青のピーク帯域と緑のピーク帯域の分離はいずれも時間軸においてなされる。そしてまたこのことは、原刺激となる透過光の純度を高くできることを意味する。
【００６９】
比較例１において１フレーム期間に白色光源が点灯する時間をｕとするとき、比較例２および本実施形態では、マゼンタの光源が点灯する時間、緑の光源が点灯する時間は、いずれも１フレーム期間において約ｕ／２となる。
比較例１、２および本実施形態において、光量ｒの赤の透過光と、光量ｇの緑の透過光と、光量ｂの青の透過光とを混合して白を表示すると仮定する。このとき白を表示するために必要な透過光量はｒ＋ｇ＋ｂとなる。このようにして白が表示されるとき、１フレーム期間の光源の発光量は以下の通りになる。
【００７０】
比較例１において白を表示するために光源から放射すべき単位時間当たりの光量（瞬間光量）Ｄは赤、緑、青のそれぞれの成分について、
Ｄ赤＝ｒｔ／０．３ｕ
Ｄ緑＝ｇｔ／０．３ｕ
Ｄ青＝ｂｔ／０．３ｕ
となる。すると比較例１では、白を表示するために必要な１フレーム期間の光源の発光量Ｅは次式によって表される値となる。
Ｅ＝（ｒ＋ｇ＋ｂ）ｔ／０．３
【００７１】
比較例２では、赤、緑、青のそれぞれの成分についての瞬間光量Ｄ赤、Ｄ緑、Ｄ青は、光源の点灯時間が比較例１の１／２であるため、
Ｄ赤＝２ｒｔ／０．３ｕ
Ｄ緑＝２ｇｔ／０．３ｕ
Ｄ青＝２ｂｔ／０．３ｕ
となり比較例１の２倍になる。しかし、白を表示するために必要な１フレーム期間の光源の発光量Ｅは、光源の点灯時間が比較例１の１／２であるため、結局のところ比較例１と等しくなる。
【００７２】
本実施形態では、赤、緑、青のそれぞれの成分についての瞬間光量Ｄ赤、Ｄ緑、Ｄ青、白を表示するために必要な１フレーム期間の光源の発光量Ｅは、次式の通りになる。
Ｄ赤＝２ｒｔ／０．４５
Ｄ緑＝２ｇｔ／０．９
Ｄ青＝２ｂｔ／０．４５
Ｅ＝（ｒ＋ｂ）ｔ／０．４５＋ｇｔ／０．９
【００７３】
すなわち、本実施形態では赤、緑、青の光に対するピクセル形成部２０の開口面積が、比較例１、２に対して実効的にそれぞれ約１．５倍、約３倍、約１．５倍となるため、比較例１、２に対して光の利用効率が約１．５倍以上になる。したがって、消費電力を等しく設定すれば、本実施形態では比較例１、２に対して約１．５倍以上の明るさ（白輝度）を実現できる。また明るさ（白輝度）を等しく設定すれば、本実施形態では消費電力を比較例１、２に対して約２／３以下に低減することができる。
【００７４】
比較例３のフィールドシーケンシャル駆動方法では、本実施形態よりも光の利用効率が高くなる。しかし、比較例３では１フレームを３分割するために、同じフレームレートで比較すると本実施形態よりもサブフレーム周波数が高くなる。
【００７５】
（第二実施形態）
本発明の第二実施形態によるカラーフィルタと光源の色の組み合わせを図１０に示す。第一サブピクセル形成部２１の第一カラーフィルタ２４１は、透過帯域に緑の帯域と青の帯域を含むとともに赤の帯域を含まない所謂シアンのカラーフィルタである。第二サブピクセル形成部２２の第二カラーフィルタ２４２は、透過帯域に赤の帯域含むとともに緑の帯域および青の帯域を含まない所謂赤のカラーフィルタである。第一光源ＬＧは緑のピーク帯域を有する緑の光を放射する一波長陰極蛍光管である。第二光源ＬＭは赤のピーク帯域と青のピーク帯域を有するマゼンタの光を放射する二波長陰極蛍光管である。
【００７６】
緑の光を放射する第一光源ＬＧを点灯する第一フィールドにおいて、第一サブピクセル形成部２１の表示電極２８１に緑チャネルのデータ信号を印加する。すると第一フィールドでは緑のモノカラー画像が表示される。第一フィールドにおいて第二サブピクセル形成部２２から光が漏れて緑の純度が落ちないように第二サブピクセル形成部２２の表示電極２８２に黒相当のデータ信号を印加することが望ましい。
【００７７】
マゼンタの光を放射する第二光源ＬＭを点灯する第二フィールドにおいて、第一サブピクセル形成部２１の表示電極２８１に青チャネルのデータ信号を印加するとともに第二サブピクセル形成部２２の表示電極２８２に赤チャネルのデータ信号を印加する。すると第二フィールドでは赤と青の２色混合のカラー画像が表示される。
【００７８】
第二実施形態では、第一フィールドにおいて第二サブピクセル形成部２２が不透過になるため、図８に示す組み合わせに比べて第一光源ＬＧから放射される緑の光の利用効率が半減する。
【００７９】
（第三実施形態）
本発明の第三実施形態によるカラーフィルタと光源の色の組み合わせを図１１に示す。第一サブピクセル形成部２１の第一カラーフィルタ２４１は、透過帯域に赤の帯域と緑の帯域を含むとともに青の帯域を含まない所謂黄のカラーフィルタである。第二サブピクセル形成部２２の第二カラーフィルタ２４２は、透過帯域に青の帯域を含むとともに赤の帯域と緑の帯域を含まない所謂青のカラーフィルタである。第一光源ＬＧは緑のピーク帯域を有する緑の光を放射する一波長陰極蛍光管である。第二光源ＬＭは赤のピーク帯域と青のピーク帯域を有するマゼンタの光を放射する二波長陰極蛍光管である。
【００８０】
緑の光を放射する第一光源ＬＧを点灯する第一フィールドにおいて、第一サブピクセル形成部２１の表示電極２８１に緑チャネルのデータ信号を印加する。すると第二フィールドでは緑のモノカラー画像が表示される。青と緑の波長が近いため、第二フィールドにおいて第二サブピクセル形成部２２から光が漏れて緑の純度が落ちやすい。そこで第二フィールドにおいて、第二サブピクセル形成部２２の表示電極２８２に黒相当のデータ信号を印加することが望ましい。
【００８１】
マゼンタの光を放射する第二光源ＬＭを点灯する第二フィールドにおいて、第一サブピクセル形成部２１の表示電極２８１に赤チャネルのデータ信号を印加するとともに第二サブピクセル形成部２２の表示電極２８２に青チャネルのデータ信号を印加する。すると第二フィールドでは赤と青の２色混合のカラー画像が表示される。
【００８２】
第三実施形態では、第一フィールドにおいて第二サブピクセル形成部２２が不透過になるため、図８に示す組み合わせに比べて第一光源ＬＧから放射される緑の光の利用効率が半減する。
【００８３】
（第四実施形態）
本発明の第四実施形態によるカラーフィルタと光源の色の組み合わせを図１２に示す。第一サブピクセル形成部２１の第一カラーフィルタ２４１は、透過帯域に赤の帯域と青の帯域を含むとともに緑の帯域を含まない所謂マゼンタのカラーフィルタである。第二サブピクセル形成部２２の第二カラーフィルタ２４２は、透過帯域に緑の帯域と青の帯域を含むとともに赤の帯域を含まない所謂シアンのカラーフィルタである。第一光源ＬＧは青のピーク帯域を有する青の光を放射する一波長陰極蛍光管である。第二光源ＬＭは赤のピーク帯域と緑のピーク帯域を有する黄の光を放射する二波長陰極蛍光管である。
【００８４】
青の光を放射する第一光源ＬＧを点灯する第一フィールドにおいて、第一サブピクセル形成部２１の表示電極２８１および第二サブピクセル形成部２２の表示電極２８２に青チャネルのデータ信号を印加する。すると第一フィールドでは青のモノカラー画像が表示される。
【００８５】
黄の光を放射する第二光源ＬＭを点灯する第二フィールドにおいて、第一サブピクセル形成部２１の表示電極２８１に赤チャネルのデータ信号を印加するとともに第二サブピクセル形成部２２の表示電極２８２に緑チャネルのデータ信号を印加する。すると第二フィールドでは赤と緑の２色混合のカラー画像が表示される。
【００８６】
第四実施形態では、放射光の緑のピーク帯域を他のピーク帯域から時分割して取り出せないため、図８に示す組み合わせに比べて緑の純度を高めることが難しくホワイトバランスの精度が低くなりやすい。
【００８７】
（第五実施形態）
本発明の第五実施形態によるカラーフィルタと光源の色の組み合わせを図１３に示す。第一サブピクセル形成部２１の第一カラーフィルタ２４１は、透過帯域に赤の帯域と青の帯域を含むとともに緑の帯域を含まない所謂マゼンタのカラーフィルタである。第二サブピクセル形成部２２の第二カラーフィルタ２４２は、透過帯域に緑の帯域を含むとともに赤の帯域と青の帯域を含まない所謂緑のカラーフィルタである。第一光源ＬＧは青のピーク帯域を有する青の光を放射する一波長陰極蛍光管である。第二光源ＬＭは赤のピーク帯域と緑のピーク帯域とを有する黄の光を放射する二波長陰極蛍光管である。
【００８８】
青の光を放射する第一光源ＬＧを点灯する第一フィールドにおいて、第一サブピクセル形成部２１の表示電極２８１に青チャネルのデータ信号を印加する。すると第一フィールドでは青のモノカラー画像が表示される。青と緑の波長が近いため、第一フィールドにおいて第二サブピクセル形成部２２から光が漏れて青の純度が落ちやすい。そこで第一フィールドにおいて、第二サブピクセル形成部２２の表示電極２８２に黒相当のデータ信号を印加することが望ましい。
【００８９】
黄の光を放射する第二光源ＬＭを点灯する第二フィールドにおいて、第一サブピクセル形成部２１の表示電極２８１に赤チャネルのデータ信号を印加するとともに第二サブピクセル形成部２２の表示電極２８２に緑チャネルのデータ信号を印加する。すると第二フィールドでは赤と緑の２色混合のカラー画像が表示される。
【００９０】
第五実施形態では、第一フィールドにおいて第二サブピクセル形成部２２が不透過になるため、図８に示す組み合わせに比べて第一光源ＬＧから放射される光の利用効率が半減する。また、放射光の緑のピーク帯域を他のピーク帯域から時分割して取り出せないため、図８に示す組み合わせに比べて緑の純度を高めることが難しくホワイトバランスの精度が低くなりやすい。
【００９１】
（第六実施形態）
本発明の第六実施形態によるカラーフィルタと光源の色の組み合わせを図１４に示す。第一サブピクセル形成部２１の第一カラーフィルタ２４１は、透過帯域に緑の帯域と青の帯域を含むとともに赤の帯域を含まない所謂シアンのカラーフィルタである。第二サブピクセル形成部２２の第二カラーフィルタ２４２は、透過帯域に赤の帯域を含むとともに緑の帯域と青の帯域を含まない所謂赤のカラーフィルタである。第一光源ＬＧは青のピーク帯域を有する青の光を放射する一波長陰極蛍光管である。第二光源ＬＭは赤のピーク帯域と緑のピーク帯域を有する黄の光を放射する二波長陰極蛍光管である。
【００９２】
青の光を放射する第一光源ＬＧを点灯する第一フィールドにおいて、第一サブピクセル形成部２１の表示電極２８１に青チャネルのデータ信号を印加する。すると第一フィールドでは青のモノカラー画像が表示される。第一フィールドにおいて第二サブピクセル形成部２２から光が漏れて青の純度が落ちないように第二サブピクセル形成部２２の表示電極２８２に黒相当のデータ信号を印加することが望ましい。
【００９３】
黄の光を放射する第二光源ＬＭを点灯する第二フィールドにおいて、第一サブピクセル形成部２１の表示電極２８１に緑チャネルのデータ信号を印加するとともに第二サブピクセル形成部２２の表示電極２８２に赤チャネルのデータ信号を印加する。すると第二フィールドでは赤と緑の２色混合のカラー画像が表示される。
【００９４】
第六実施形態では、第一フィールドにおいて第二サブピクセル形成部２２が不透過になるため、図８に示す組み合わせに比べて第一光源ＬＧから放射される光の利用効率が半減する。また、放射光の緑のピーク帯域を他のピーク帯域から時分割して取り出せないため、図８に示す組み合わせに比べて緑の純度を高めることが難しくホワイトバランスの精度が低くなりやすい。
【００９５】
（第七実施形態）
本発明の第七実施形態によるカラーフィルタと光源の色の組み合わせを図１５に示す。第一サブピクセル形成部２１の第一カラーフィルタ２４１は、透過帯域に赤の帯域と緑の帯域を含むとともに青の帯域を含まない所謂黄のカラーフィルタである。第二サブピクセル形成部２２の第二カラーフィルタ２４２は、透過帯域に赤の帯域と青の帯域を含むとともに緑の帯域を含まない所謂マゼンタのカラーフィルタである。第一光源ＬＧは赤のピーク帯域を有する赤の光を放射する一波長陰極蛍光管である。第二光源ＬＭは緑のピーク帯域と青のピーク帯域とを有するシアンの光を放射する二波長陰極蛍光管である。
【００９６】
赤の光を放射する第一光源ＬＧを点灯する第一フィールドにおいて、第一サブピクセル形成部２１の表示電極２８１および第二サブピクセル形成部２２の表示電極２８２に赤チャネルのデータ信号を印加する。すると第一フィールドでは赤のモノカラー画像が表示される。
【００９７】
シアンの光を放射する第二光源ＬＭを点灯する第二フィールドにおいて、第一サブピクセル形成部２１の表示電極２８１に緑チャネルのデータ信号を印加するとともに第二サブピクセル形成部２２の表示電極２８２に青チャネルのデータ信号を印加する。すると第一フィールドでは緑と青の２色混合のカラー画像が表示される。
【００９８】
第七実施形態では、放射光の緑のピーク帯域を他のピーク帯域から時分割して取り出せないため、図８に示す組み合わせに比べて緑の純度を高めることが難しくホワイトバランスの精度が低くなりやすい。また、第二フィールドにおいてシアンの光を波長が近い緑の光と青の光に分離するため、図８に示す組み合わせに比べて表示色の原刺激の純度が低くなり色域が狭くなる。
【００９９】
（第八実施形態）
本発明の第八実施形態によるカラーフィルタと光源の色の組み合わせを図１６に示す。第一サブピクセル形成部２１の第一カラーフィルタ２４１は、透過帯域に赤の帯域と緑の帯域を含むとともに青の帯域を含まない所謂黄のカラーフィルタである。第二サブピクセル形成部２２の第二カラーフィルタ２４２は、透過帯域に青の帯域を含むとともに赤の帯域と緑の帯域を含まない所謂青のカラーフィルタである。第一光源ＬＧは赤のピーク帯域を有する赤の光を放射する一波長陰極蛍光管である。第二光源ＬＭは緑のピーク帯域と青のピーク帯域とを有するシアンの光を放射する二波長陰極蛍光管である。
【０１００】
赤の光を放射する第一光源ＬＧを点灯する第一フィールドにおいて、第一サブピクセル形成部２１の表示電極２８１に赤チャネルのデータ信号を印加する。すると第二フィールドでは赤のモノカラー画像が表示される。第一フィールドにおいて第二サブピクセル形成部２２から光が漏れて赤の純度が落ちないように第二サブピクセル形成部２２の表示電極２８２に黒相当のデータ信号を印加することが望ましい。
【０１０１】
シアンの光を放射する第二光源ＬＭを点灯する第二フィールドにおいて、第一サブピクセル形成部２１の表示電極２８１に緑チャネルのデータ信号を印加するとともに第二サブピクセル形成部２２の表示電極２８２に青チャネルのデータ信号を印加する。すると第二フィールドでは緑と青の２色混合のカラー画像が表示される。
【０１０２】
第八実施形態では、第一フィールドにおいて第二サブピクセル形成部２２が不透過になるため、図８に示す組み合わせに比べて第一光源ＬＧから放射される光の利用効率が半減する。また、放射光の緑のピーク帯域を他のピーク帯域から時分割して取り出せないため、図８に示す組み合わせに比べて緑の純度を高めることが難しくホワイトバランスの精度が低くなりやすい。また第二フィールドにおいてシアンの光を波長が近い緑の光と青の光に分離するため、図８に示す組み合わせに比べて表示色の原刺激の純度が低くなり色域が狭くなる。
【０１０３】
（第九実施形態）
本発明の第九実施形態によるカラーフィルタと光源の色の組み合わせを図１７に示す。第一サブピクセル形成部２１の第一カラーフィルタ２４１は、透過帯域に赤の帯域と青の帯域を含むとともに緑の帯域を含まない所謂マゼンタのカラーフィルタである。第二サブピクセル形成部２２の第二カラーフィルタ２４２は、透過帯域に緑の帯域を含むとともに赤の帯域と青の帯域を含まない所謂緑のカラーフィルタである。第一光源ＬＧは赤のピーク帯域を有する赤の光を放射する一波長陰極蛍光管である。第二光源ＬＭは緑のピーク帯域と青のピーク帯域を有するシアンの光を放射する二波長陰極蛍光管である。
【０１０４】
赤の光を放射する第一光源ＬＧを点灯する第一フィールドにおいて、第一サブピクセル形成部２１の表示電極２８１に赤チャネルのデータ信号を印加する。すると第一フィールドでは赤のモノカラー画像が表示される。第一フィールドにおいて第二サブピクセル形成部２２から光が漏れて赤の純度が落ちないように第二サブピクセル形成部２２の表示電極２８２に黒相当のデータ信号を印加することが望ましい。
【０１０５】
シアンの光を放射する第二光源ＬＭを点灯する第二フィールドにおいて、第一サブピクセル形成部２１の表示電極２８１に青チャネルのデータ信号を印加するとともに第二サブピクセル形成部２２の表示電極２８２に緑チャネルのデータ信号を印加する。すると第二フィールドでは緑と青の２色混合のカラー画像が表示される。
【０１０６】
第九実施形態では、第一フィールドにおいて第二サブピクセル形成部２２が不透過になるため、図８に示す組み合わせに比べて第一光源ＬＧから放射される光の利用効率が半減する。また、放射光の緑のピーク帯域を他のピーク帯域から時分割して取り出せないため、図８に示す組み合わせに比べて緑の純度を高めることが難しくホワイトバランスの精度が低くなりやすい。また第二フィールドにおいてカラーフィルタによってシアンの光を波長が近い緑の光と青の光に分離するため、図８に示す組み合わせに比べて表示色の原刺激の純度が低くなり色域が狭くなる。
【０１０７】
以上、赤の透過光、緑の透過光および青の透過光を表示色の原刺激として用いるときに好適なカラーフィルタと光源の色の組み合わせの形態を第二実施形態から第九実施形態として説明した。尚、表示色の原刺激としては、人の錐状体の仕組みに対応した赤、緑および青の光を用いることが望ましいものの、表示色の原刺激はかならずしも赤、緑および青の光でなくともよい。ただし、表示色の原刺激である透過光の色を赤、緑および青にすることで色域は広くなる。本発明は、２種類の光源の放射光の発光スペクトルと２種類のカラーフィルタの透過スペクトルとを調整することとにより、色域を定める様々な三角形および四角形を色度座標平面に形成することができる。例えば第一フィールドおよび第二フィールドの両方で２色混合のカラー画像を表示することにより、残像効果を利用した４色混合のカラー表示も可能である。この場合、第一光源ＬＧおよび第二光源ＬＭの両方に二波長陰極蛍光管を用いる。また光源の放射光のピーク帯域がカラーフィルタの透過帯域に含まれているときに光の利用効率は高くなるが、必ずしもそうである必要はない。
【０１０８】
（第十実施形態）
２種類の光源にそれぞれ蛍光管を用いる場合、光源は走査線ＧＬの配列方向において交互に配列することが望ましいが、複数の第二光源ＬＭが走査線ＧＬの配列方向に続いた後に複数の第一光源ＬＧが走査線の配列方向に続く単位配列が走査線ＧＬの配列方向に画面全体において複数並ぶ配列でも良い。また、バックライトは直下型である必要はなく、エッジライト型であってもよい。また、蛍光管は熱陰極蛍光管であって良い。
【０１０９】
（第十一実施形態）
第一光源ＬＧおよび第二光源ＬＭには放射源としてＬＥＤを用いても良い。ＬＥＤは陰極蛍光管に比べて輝度の応答が速いため画像を明るく表示することができる。ＬＥＤを放射源に用いる場合、１つ以上のＬＥＤの発光スペクトルと、ＬＥＤの放射光によって励起される１つ以上の蛍光体の発光スペクトルとによって１つの光源としての発光スペクトルを設計することができる。パッケージ毎に１つの色の光を放射するそれぞれのパッケージを光源の単位としても良い。またパッケージ内に実装された複数のＬＥＤチップを独立に制御可能な１つのパッケージで第一光源および第二光源を構成しても良い。この場合、第一光源ＬＧおよび第二光源ＬＭをバックライトに組み付ける構造が簡素になる。また、それぞれ互いに異なる１色の光を放射する複数のパッケージを同時に点灯させることにより複数のパッケージで１つの光源の単位を構成しても良い。
【０１１０】
具体的には例えば、緑の光を放射するＬＥＤチップが組み込まれたパッケージを第一光源ＬＧとし、青の光を放射するＬＥＤと赤の光を放射する蛍光体とを組み合わせたＬＥＤチップが組み込まれマゼンタの光を放射する別のパッケージを第二光源ＬＭとする。また例えば、緑の光を放射するＬＥＤが組み込まれ緑の光を放射する第一光源ＬＧとしてのＬＥＤチップと、青の光を放射するＬＥＤと赤の光を放射する蛍光体とが組み込まれマゼンタの光を放射する第二光源ＬＭとしてのＬＥＤチップとが独立に制御可能に１つのパッケージに組み込むこともできる。青の光や緑の光を放射するＬＥＤには例えばＩｎＧａＮ系の材料が用いられる。赤の光を放射する蛍光体としては例えばＣａＡｌＳｉＮ4：Ｅｕが用いられる。
【０１１１】
ＬＥＤを放射源に用いる場合、ＬＥＤ自体の電気特性にばらつきがあるため陰極蛍光管を光源に用いる場合に比べて各光源の放射光の特性のばらつきが大きくなる。そこで、例えば図１８に示すように同じ色の光を放射する複数個（例えば５個程度）のＬＥＤパッケージと抵抗とを直列接続したものを第一光源ＬＧまたは第二光源ＬＭの単位として構成する。そして、抵抗が個別に調整されている複数の第一光源ＬＧと複数の第二光源ＬＭを並列に接続することによって光源毎の輝度のばらつきを低減することができる。
【０１１２】
ＬＥＤを用いて第一光源ＬＧおよび第二光源ＬＭを構成する場合、光源が点状になるため、第一光源ＬＧおよび第二光源ＬＭは二次元に配列される。単位面積当たりに配置される第一光源ＬＧの数および第二光源ＬＭの数の比率が一定になればよく、第一光源ＬＧだけが水平方向に並ぶ行と第二光源ＬＭだけが水平方向に並ぶ行とが交互に垂直方向に並ぶように配置しても良いし、第一光源ＬＧと第二光源ＬＭが水平方向に交互に並ぶ行が垂直方向に並ぶように配置しても良い。
【０１１３】
（その他の実施形態）
第一サブピクセル形成部２１および第二サブピクセル形成部２２の配列は、デルタ配列でもよい。また、第一サブピクセル形成部２１および第二サブピクセル形成部２２をオーバーシュート駆動してもよい。また１つのサブピクセル形成部において配向が異なるように液晶を制御しても良い。またパネルは、透過型であればよく、ホールド型でなくても良いし、単純マトリクス型であってもよいし、サブピクセル形成部の透過率を液晶以外で制御しても良い。またフィールド間もしくはフレーム間に黒レベルのデータ信号を表示電極２８に印加しても良い。さらに、本発明は１フレームを２ｎ（Ｎ＝０，１，２・・）フィールドに時分割してカラー表示する駆動方法に適用することができ、例えば倍速駆動方法と組み合わせて実施することも原理的には可能である。
尚、本発明の技術的範囲は、上述した実施の形態に限定されるものではなく、本発明の要旨を逸脱しない範囲内において種々変更を加え得ることは勿論である。
【図面の簡単な説明】
【０１１４】
【図１】本発明の概要を示す説明図。
【図２】本発明の実施形態にかかる模式図。
【図３】本発明の実施形態にかかる模式的な断面図。
【図４】本発明の実施形態にかかる色度図。
【図５】本発明の実施形態にかかるスペクトルを示す図。
【図６】本発明の実施形態にかかるスペクトルを示す図。
【図７】本発明の実施形態にかかるスペクトルを示す図。
【図８】本発明の実施形態にかかる表。
【図９】本発明の実施形態にかかる表。
【図１０】本発明の実施形態にかかる表。
【図１１】本発明の実施形態にかかる表。
【図１２】本発明の実施形態にかかる表。
【図１３】本発明の実施形態にかかる表。
【図１４】本発明の実施形態にかかる表。
【図１５】本発明の実施形態にかかる表。
【図１６】本発明の実施形態にかかる表。
【図１７】本発明の実施形態にかかる表。
【図１８】本発明の実施形態にかかる回路図。
【符号の説明】
【０１１５】
１：表示装置、１０：コントローラ、１１：データドライバ、１２：ゲートドライバ、１３：液晶パネル、１６：バックライト、１７：電源ユニット、１８：光学シート、２０：ピクセル形成部、２１：第一サブピクセル形成部、２２：第二サブピクセル形成部、２３：ブラックマトリクス、２８：表示電極、１３１：偏光フィルム、１３２：ガラス基板、１３３：共通電極、１３４：配向膜、１３５：液晶、１３７：ガラス基板、１３８：偏光フィルム、１６７：スイッチング回路、１６８：スイッチング回路、２３１：開口部、２３２：開口部、２４１：第一カラーフィルタ、２４２：第二カラーフィルタ、２８１：表示電極、２８２：表示電極、ＤＬ  データ線、ＧＬ：走査線、ＬＧ：第一光源、ＬＭ：第二光源
【図１】
2009265135.tif 000004
【図２】
2009265135.tif 000005
【図３】
2009265135.tif 000006
【図４】
2009265135.tif 000007
【図５】
2009265135.tif 000008
【図６】
2009265135.tif 000009
【図７】
2009265135.tif 000010
【図８】
2009265135.tif 000011
【図９】
2009265135.tif 000012
【図１０】
2009265135.tif 000013
【図１１】
2009265135.tif 000014
【図１２】
2009265135.tif 000015
【図１３】
2009265135.tif 000016
【図１４】
2009265135.tif 000017
【図１５】
2009265135.tif 000018
【図１６】
2009265135.tif 000019
【図１７】
2009265135.tif 000020
【図１８】
2009265135.tif 000021